(57)【要約】 【課題】  リトリーブした際に尾部５が左右に振れるルアー１を提供する。【解決手段】  ルアー１は、合成樹脂製の頭部３と、釣り針４を取付けた合成樹脂製の尾部５と、さらに金属のスネークチェーンからなる胴部６とを備えている。  ルアー１を水中に投入してからリトリーブすると、上記スネークチェーンからなる胴部６を介して尾部５が左右に振れるようになっている。  そのため、本発明のルアー１は、ゴムを用いたソフトルアーと同程度に魚に対して強くアピールすることができる。【選択図】  図３
2005229824.tif 000002
【特許請求の範囲】
【請求項１】
ルアーの本体部を、胴部としてのチェーンと、このチェーンの一部分に設けた頭部と、さらに上記チェーンの他の部分に設けた尾部とから構成し、上記頭部に釣り糸を接続して、ルアーが水中でリトリーブされた際に上記尾部が振れるようにしたことを特徴とするルアー。
【請求項２】
上記尾部は上記頭部を挟んで複数設けられていることを特徴とする請求項１に記載のルアー。
【請求項３】
上記チェーンは金属製のスネークチェーンからなることを特徴とする請求項１または請求項２に記載のルアー。
【請求項４】
上記尾部に釣り針が取付けられていることを特徴とする請求項１から請求項３のいずれか１つに記載のルアー。
【請求項５】
上記頭部における前方側には斜め上方へ延びる板状のつば部を形成してあり、また上記つば部の前面には円弧状の凹部が形成されていることを特徴とする請求項１から請求項４のいずれか１つに記載のルアー。
【請求項６】
上記ルアーは、該ルアーが水に投入されると、水面にルアーが浮かぶ、またはルアーが水中に停止してサスペンド状態となる、あるいはルアーが水中で沈むように、ルアー全体の重さが調整されていることを特徴とする請求項１から請求項５のいずれか１つに記載のルアー。
【発明の詳細な説明】
【技術分野】
【０００１】
本発明はルアーに関し、より詳しくはリトリーブされた際に水中で尾部が振れるように工夫したルアーに関する。
【背景技術】
【０００２】
従来から釣り用のルアーとして各種のものが提案されている。例えば、釣り針にひらひらしたゴム等を取付けた『ワーム』と称されるソフトルアーや、あるいは、バルサ材からなる頭部と尾部とを備えた『ミノ−』と称されるハードルアーが従来から知られている。
さらに、『ミノー』と称されるハードルアーにおいても、頭部と尾部とを別体で製作した後、それらをジョインで連結するようにした特殊なルアーも知られている（例えば特許文献１、特許文献２）。
上述したソフトルアーや上記ジョイントタイプのルアーは、水中でリトリーブされた際に尾部がゆらゆらと動くので、魚に対して強くアピールすることができる。
【特許文献１】特開平１０−８４８１７号公報
【特許文献２】特開２００３−１０２３４１号公報
【発明の開示】
【発明が解決しようとする課題】
【０００３】
ところで、従来、ルアーが水中の藻や障害物に引っかかって釣り糸が切れると、そのままルアーは水中に放置されることなる。
このようにルアーやその一部が水中に放置されていると、それらを餌と誤認して魚が飲み込む場合がある。さらに、このように放置されたルアーやその一部を飲み込んだ魚が後日、釣り人によって釣り上げられることもある。この場合、釣り人が魚をさばく際に魚の腹中からルアーやその一部が出てくることになる。すると、このような場合には、魚を釣り上げた釣り人が不快な思いをすることになる。そのようなことが度重なると、その管理釣り場に対する釣り人の不評が重なることになる。
そこで、従来から入漁量を支払ってルアー釣りを行う、『管理釣り場』においては、上述したような釣った魚からルアーやその一部が出てこないように、ゴムなどを用いたソフトルアーは管理釣り場では禁止されるようになっている。
このように管理釣り場においてソフトルアーが禁止されると、管理釣り場においてソフトルアー以外のルアーを使う必要がある。しかしながら、その場合には、ゆらゆらと揺れるゴムを使用したソフトルアーと比較して釣果が上がりにくいという欠点がある。
【課題を解決するための手段】
【０００４】
上述した事情に鑑み、本発明は、ルアーの本体部を、胴部としてのチェーンと、このチェーンの一部分に設けた頭部と、さらに上記チェーンの他の部分に設けた尾部とから構成し、上記頭部に釣り糸を接続して、ルアーが水中でリトリーブされた際に上記尾部が振れるようにしたルアーを提供するものである。
【発明の効果】
【０００５】
このような構成によれば、ゴムなどの軟質材料を用いることなくリトリーブの際に尾部が振れるルアーを提供できる。
【発明を実施するための最良の形態】
【０００６】
以下図示実施例について本発明を説明すると、  図１ないし図３において、１は釣りに用いるルアーである。このルアー１は、釣り糸２を接続可能な頭部３と、毛鉤からなる釣り針４を取付けた尾部５と、さらに上記頭部３と尾部５とを連結する金属のスネークチェーンからなる細長い胴部６とを備えている。上記頭部３、スネークチェーンからなる胴部６および尾部５とによってルアー１の本体部１０を構成している。
上記頭部３はあひるの頭を模して合成樹脂を成形して製造している。図４ないし図５にも示すように、頭部３における前方側の上部には斜め上方に向けて伸びる板状のつば部１１を形成している。このつば部１１から連続する頭部３の前面の下方側には、金属製の線材からなる係止部材１２を埋設している。係止部材１２における前方側の端部１２Ａはリング状に形成してあり、後方側の端部１２Ｂは鉤状に形成している。上記係止部材１２の前方側の端部１２Ａは、釣り糸２を接続するための接続部を構成してあり、スプリットリング１３を介して釣り糸２を端部１２Ａに接続するようにしている。
【０００７】
一方、胴部６から連続するスネークチェーンの前方側の端部には係合孔６Ａを形成している（図５）。そして、この係合孔６Ａに上記係止部材１２の後方側の端部１２Ｂを引っ掛けて、係止部材１２および胴部６における係合孔６Ａおよびその隣接部分を、成形用の型内に位置させてから該型に合成樹脂を充填することで、上記頭部３を形成している。
これにより、係止部材１２におけるリング状の前方側の端部１２Ａ部のみが頭部３の前面に露出しており、係止部材１２の他の部分およびスネークチェーンの前方側の端部は、頭部３内に埋設されている。本実施例においては、このようにして、合成樹脂製の頭部３を形成するとともに、該頭部３とスネークチェーンからなる胴部６とを接続している。
【０００８】
また、露出したリング状の端部１２Ａは、図１および図４に示すように、つば部１１が斜め上方を向けた状態で、かつそのつば部１１を正面から見た状態において、水平に位置するようになっている。そして、上記釣り糸２を接続するための接続部としての端部１２Ａにスプリットリング１３を取り付けている。
スプリットリング１３は、線材をコイル状に１回半程巻いて全体をリング状に形成したものである。本実施例においては、このスプリットリング１３に釣り糸２を結びつけるようになっている。なお、スナップを介して釣り糸２を端部１２Ａに接続する場合には、上記スプリットリング１３を省略して、スナップを上記端部１２Ａに係止すればよい。
【０００９】
上述したように、本実施例においては、胴部６から続く金属製のスネークチェーンの前端を、合成樹脂製の頭部３における下方側に埋設してある。金属製のスネークチェーンの重量によって頭部３の重心は、その下方側の中央に位置するようになっている。したがって、ルアー１を水中に投入した際には、図１、図４および図５に示したように、上記頭部３のつば部１１が斜め上方に向けた状態に維持されるようになっている
さらに、図４および図５に示すように、つば部１１の前面の上部には、円弧状の凹部１１Ｂを形成している。この凹部１１Ｂを形成したことにより、ルアー１が水中に沈んだ状態からリトリーブされた際に水が上記凹部１１Ｂ内に導かれることで、つば部１１の抵抗が大きくなるようにしている。
上述したように、ルアー１を水中に投入すると、つば部１１が斜め上方を向けて維持されるようになっているので、ルアー１をリトリーブするとつば部１１にガイドされてルアー１全体が水中で斜め上方に向けて浮上するようになっている（図１１、図１２参照）。
さらに、上記頭部３における両側には、眼球を模した一対のアイ１４、１４を埋設している。
【００１０】
次に、図６にも断面図で示すように、尾部５は合成樹脂によって全体として概略卵形に形成している。尾部５を構成する合成樹脂は、上記頭部３を構成した合成樹脂と同じ材料を用いている。
そして、この尾部５に、上記頭部３の場合と同様に、金属製の線材からなる係止部材１５を埋設している。係止部材１５は、後方側の端部１５Ａをリング状に形成してあり、前方側の端部１５Ｂは鉤状に形成している。
胴部６を構成したスネークチェーンにおける後方側の端部には、係合孔６Ｂを形成してあり、この係合孔６Ｂに係止部材１５における前方側の端部１５Ｂを引っ掛けた状態において、尾部５を合成樹脂で卵形に成形するようにしている。これにより、係止部材１５におけるリング状の後方側の端部１５Ａが尾部５における後方側の端部の箇所に露出し、係止部材１５の残部およびスネークチェーンの後方側の端部（係合孔６Ｂを形成した箇所）は、尾部５を構成する合成樹脂内に埋設されている。
このようにして、スネークチェーンからなる胴部６における後方側の端部を尾部５に接続している。
【００１１】
そして、上記露出した状態の係止部材１５の端部１５Ａは、釣り針４の接続部としてあり、その端部１５Ａにスプリットリング１６を介して釣り針４を取り付けている。釣り針４には複数の鳥の羽根１７を結び付けてあり、ルアー１が水中でリトリーブされた際には、羽根１７が揺れて、魚にアピールするようになっている。
前述したように、本実施例においては、合成樹脂製の頭部３と尾部５を、金属製のスネークチェーンからなる胴部６によって接続している。スネークチェーンは従来公知であり、本実施例では断面で見たときの輪郭が円形となるスネークリングを使用している。
【００１２】
図７〜図９に示すように、胴部６を構成するスネークリングは、多数のリング部材２１と、多数の連結部材２２とを軸方向に順次連結していくことで構成されている。連結部材２２は、軸方向の一端側と他端側とにそれぞれ３枚の係合片２２Ａを備えている。そして、図９に示したように、隣り合う連結部材２２の３枚の係合片２２Ａを相互に係合させた状態において、それらの外周部にリング部材２１を嵌装することで、各係合片２２Ａの先端部をカシメている。そのようにして、隣り合う連結部材２２を軸方向に順次連結することで細長い胴部としてのスネークチェーンを構成している。
このようにスネークチェーンからなる胴部３によって前方側の頭部３と後方側の尾部５とが接続されており、したがって、スネークチェーンからなる胴部３が撓んで変形することにより、尾部５は頭部３に対して上下左右方向に自由に振れるようになっている。
【００１３】
さらに、本実施例のルアー１は、上記頭部３、スネークチェーンからなる胴部６および尾部５の表面に鮮やかなピンク色の塗料を塗ってあり、それにより水中で魚にアピールできるようになっている。金属製のスネークチェーンからなる胴部６は、水中で振れる際にその構成部材である各リング部２１が不規則に光を反射するようになっている。そのため、より一層、水中で魚にアピールできるようになっている。
【００１４】
以上のように構成した、本実施例のルアー１を水中に投入してファーストリトリーブすると、図３および図１０に示すように、尾部５が交互に左右へ振れるようになっており、それによって、ソフトルアーの場合と同程度に魚に対して強くアピールすることができる。なお、図１０はルアー１をリトリーブした際の尾部５の移動軌跡を上方から見た状態を示している。
また、図１１は本実施例のルアー１を『ストップ＆ゴー』でリトリーブした場合を示したものである。本実施例のルアー１は自重によって水中では沈むようになっているが、リトリーブされると上記つば部１１によってルアー１は斜め上方に向けて浮上するようになっている。なお、自重によって沈んでいく場合及び斜め上方に向けて浮上する場合においても、上述したように尾部５が左右に振れるようになっている。
さらに、図１１は、本実施例のルアー１を『リフト＆フォール』でリトリーブした場合を示したものである。フォールした際にはルアー１は自重によって真下へ沈んでいくが、リフトされると上記つば部１１によって斜め上方に向けて浮上するようになっている。
【００１５】
以上のように本実施例のルアー１は、ゴムなどの軟質材料を用いることなくリトリーブの際に尾部５が頭部３に対してゆらゆらと振れるようになっている。このように尾部５が振れることで従来のソフトルアーと同様に魚に対して強くアピールすることができる。また、上記胴部６を構成するスネークチェーンの各リング部材２１が光を反射しつつ不規則に動くことで、より一層魚にアピールすることができる。
しかも、本実施例のルアー１は、胴部６を金属製のスネークチェーンから構成している。そのため、ルアー１が水中に放置されて停止状態となった際には、頭部３、胴部６および尾部５がひらひらと動くことはなく、したがって放置されたルアー１あるいはその一部を魚が餌と誤認して飲み込むようなことを防止することができる。したがって、本実施例のルアー１は、ソフトルアーの使用が禁止された『管理釣り場』であっても問題なく使用することが可能である。
なお、上記実施例においては、釣り針４を尾部３のみに取り付けているが、頭部３の所要箇所にも釣り針を取り付けてもよい。また、尾部３の釣り針４を省略して、頭部３のみに取り付けても良い。さらに、釣り針４の基部を尾部３に埋め込んで、基部３と釣り針４一体にしても良い。
さらに、上記実施例においては、スネークチェーンからなる胴部６の寸法は尾部５の全長の２倍以上に設定していたが、このスネークチェーンの全長を短縮して、例えば尾部５の全長の半分程度に短くしても良い。
【００１６】
次に、図１３は本発明の第２実施例を示したものである。端的に言えば、この第２実施例は、一般に「ワッキーリグ」と称されているルアーの本体部に金属製のスネークチェーンを採用したものである。
より詳細には、ルアー１は、１本の金属製のスネークチェーンからなる胴部６と、この胴部６の長手方向の中央部に形成した合成樹脂製で球状の頭部３と、スネークチェーンからなる胴部６の両端に形成した卵形の尾部５、５を備えている。
頭部３の前面には上記実施例と同様の係止部材１２を埋設して、この係止部材１２に釣り糸を結びつけるようになっている。両方の尾部３は同一形状で同じ大きさに設定してあり、これら各尾部５、５に上記第１実施例と同様の係止部材１５、１５を取り付けている。そして、これら各係止部材１５に錨型をした同じ大きさの釣り針４を取り付けている。
上述したように頭部３は胴部６を構成するスネークチェーンの長手方向中央部に設けてあるので、頭部３から両方の尾部５、５までの距離は同じ寸法となっている。また、頭部３および尾部５，５は上記実施例と同様に合成樹脂によって構成してあり、ルアー１は水に投入されると、自重によって沈むようになっている。
【００１７】
この第２実施例のルアー１を水に投入した後にリトリーブすると、上記頭部３が移動方向の先頭に位置して、スネークチェーンからなる胴部６が弓形となり、頭部３よりも後方側となる両方の尾部５、５が振れるようになっている。つまり、頭部３が中央に位置して両方の尾部５、５が左右に広がった状態で両方の尾部５、５が振れるようになっている。
このような構成の第２実施例であっても、上述した第１の実施例と同様の作用効果を得ることができる。
なお、上記第２実施例においては、単一のスネークチェーンで胴部６を構成し、その中央部に頭部３を形成しているが、同じ寸法の２本のスネークチェーンを用意して、それらの一端と他端とを球状の頭部３で一体に連結して、２本のスネークチェーンにより胴部６を構成しても良い。さらに、上記第２実施例では尾部５、５は２つ設けていたが、スネークチェーンの数を増やして尾部５を４箇所設けても良いし、上記第２実施例のルアー１における背面に、上記第１実施例で示したようなスネークチェーンからなる胴部６と尾部５を連結しても良い。
【００１８】
また、上記各実施例においては、ルアー１は自重によって水中で沈むように構成していたが、ルアー１が水に沈まずに水面に浮いたままとなるようにしても良い。さらに、いわゆる「サスペンドルアー」としてルアー１が水中の一定の深さに留まる、サスペンド状態となるようにルアー１全体の重さを調整しても良い。
また、上記実施例においては、胴部６として金属製のスネークチェーンを用いているが、ルアー１をリトリーブした際に尾部５が振れるような構成を備えたチェーンであれば、どのようなチェーンを胴部６として用いていも良い。
【図面の簡単な説明】
【００１９】
【図１】本発明の一実施例であるルアー１の正面図。
【図２】図１のルアー１の平面図。
【図３】図１に示したルアー１をリトリーブした際の動きを示す平面図。
【図４】図１の左側面図。
【図５】図４のＶ−Ｖ線に沿う要部の断面図。
【図６】図１に示した尾部５の断面図。
【図７】図１に示した胴部６を構成するスネークチェーンの要部の拡大図。
【図８】図７のＶＩＩＩ−ＶＩＩＩ線に沿う断面図。
【図９】図７に示したスネークチェーンの構成部材の一部を示す正面図。
【図１０】図１に示したルアー１を『ファーストリトリーブ』した際の動きを示す平面図。
【図１１】図１のルアー１を『ストップ＆ゴー』させた場合における水中での深さ方向における動きを示す図。
【図１２】図１のルアー１を『リフト＆フォール』させた場合における水中での深さ方向における動きを示す図。
【図１３】本発明の第２実施例であるルアー１がリトリーブされている状態を示す平面図。
【符号の説明】
【００２０】
１…ルアー                        ２…釣り糸
３…頭部                          ４…釣り針
５…尾部                          ６…胴部
１０…本体部
【図１】
2005229824.tif 000003
【図２】
2005229824.tif 000004
【図３】
2005229824.tif 000005
【図４】
2005229824.tif 000006
【図５】
2005229824.tif 000007
【図６】
2005229824.tif 000008
【図７】
2005229824.tif 000009
【図８】
2005229824.tif 000010
【図９】
2005229824.tif 000011
【図１０】
2005229824.tif 000012
【図１１】
2005229824.tif 000013
【図１２】
2005229824.tif 000014
【図１３】
2005229824.tif 000015